【手続補正書】
【提出日】令和3年6月16日(2021.6.16)
【手続補正１】
【補正対象書類名】特許請求の範囲
【補正対象項目名】全文
【補正方法】変更
【補正の内容】
【特許請求の範囲】
【請求項１】
複数の撮影装置が撮影することにより得られる複数の画像に基づいて生成される仮想視点画像に係る仮想視点の位置及び仮想視点からの視線方向を表すパラメータと、前記仮想視点画像の時刻を表すパラメータとを含む複数のパラメータを記憶手段に記憶させる記憶制御手段と、
前記仮想視点画像が表示手段に表示されている間にユーザにより行われる切替え操作に応じて、前記記憶手段に記憶された複数のパラメータの中から前記切替え操作に基づいて選択された時刻を表すパラメータに対応し、且つ表示手段に表示されている前記仮想視点画像に対応する仮想視点の位置及び仮想視点からの視線方向を表すパラメータに対応する仮想視点画像を表示手段に表示させる表示制御手段と、
を有することを特徴とする情報処理装置。
【請求項２】
前記記憶制御手段は、前記仮想視点画像が表示手段に表示されている間にユーザにより行われる指示に応じて、表示手段に表示されている仮想視点画像に対応する時刻を表すパラメータと、表示手段に表示されている仮想視点画像に対応する仮想視点の位置及び仮想視点からの視線方向を表すパラメータとを関連付けて、前記記憶手段に記憶させることを特徴とする請求項１に記載の情報処理装置。
【請求項３】
前記表示制御手段は、前記記憶制御手段により関連づけて記憶された時刻を表すパラメータと仮想視点の位置及び仮想視点からの視線方向を表すパラメータとを、表示手段に表示させることを特徴とする請求項２に記載の情報処理装置。
【請求項４】
前記表示制御手段は、前記複数のパラメータに含まれるパラメータの種別を選択する所定の操作により選択されたパラメータの種別に応じた仮想視点画像を、前記切替え操作に応じて表示手段に表示させることを特徴とする請求項１乃至３のいずれか１項に記載の情報処理装置。
【請求項５】
前記表示制御手段は、前記所定の操作によりパラメータの種別として時刻が選択された場合、前記切替え操作が行われたタイミングに基づく時点において表示手段に表示されている第１の仮想視点画像に対応する仮想視点の位置及び仮想視点からの視線方向を表すパラメータに対応し、且つ前記記憶手段に記憶された時刻を表すパラメータに対応する第２の仮想視点画像を表示手段に表示させることを特徴とする請求項４に記載の情報処理装置。
【請求項６】
前記表示制御手段は、前記所定の操作によりパラメータの種別として仮想視点の位置及び仮想視点からの視線方向が選択された場合、前記切替え操作が行われたタイミングに基づく時点において表示手段に表示されている第１の仮想視点画像に対応する時刻を表すパラメータに対応し、且つ前記記憶手段に記憶された仮想視点の位置及び仮想視点からの視線方向を表すパラメータに対応する第３の仮想視点画像を表示手段に表示させることを特徴とする請求項４又は５に記載の情報処理装置。
【請求項７】
前記表示制御手段は、前記所定の操作によりパラメータの種別として、時刻と、仮想視点の位置及び仮想視点からの視線方向とが選択された場合、前記記憶手段に記憶された時刻を表すパラメータに対応し、且つ前記記憶手段に記憶されたパラメータであって前記時刻を表すパラメータと関連付けられた仮想視点の位置及び仮想視点からの視線方向を表すパラメータに対応する第４の仮想視点画像を表示手段に表示させることを特徴とする請求項４乃至６のいずれか１項に記載の情報処理装置。
【請求項８】
複数の撮影装置が撮影することにより得られる複数の画像に基づいて生成される仮想視点画像が表示手段に表示されている間にユーザにより行われる切替え操作を受け付ける受付工程と、
前記受付工程において受け付けられた切替え操作に応じて、前記仮想視点画像に係る仮想視点の位置及び仮想視点からの視線方向を表すパラメータと前記仮想視点画像の時刻を表すパラメータとを含む複数のパラメータを記憶する記憶手段に記憶された前記複数のパラメータの中から前記切替え操作に基づいて選択された時刻を表すパラメータに対応し、且つ表示手段に表示されている前記仮想視点画像に対応する仮想視点の位置及び仮想視点からの視線方向を表すパラメータに対応する仮想視点画像を表示手段に表示させる表示制御工程と、
を有することを特徴とする情報処理方法。
【請求項９】
前記仮想視点画像が表示手段に表示されている間にユーザにより行われる指示に応じて、表示手段に表示されている仮想視点画像に対応する時刻を表すパラメータと、表示手段に表示されている仮想視点画像に対応する仮想視点の位置及び仮想視点からの視線方向を表すパラメータとを関連付けて、前記記憶手段に記憶させる記憶制御工程を有することを特徴とする請求項８に記載の情報処理方法。
【請求項１０】
前記表示制御工程においては、前記記憶制御工程において関連づけられて記憶された時刻を表すパラメータと仮想視点の位置及び仮想視点からの視線方向を表すパラメータとが、表示手段に表示されることを特徴とする請求項９に記載の情報処理方法。
【請求項１１】
前記表示制御工程においては、前記複数のパラメータに含まれるパラメータの種別を選択する所定の操作により選択されたパラメータの種別に応じた仮想視点画像が、前記切替え操作に応じて表示手段に表示されることを特徴とする請求項８乃至１０のいずれか１項に記載の情報処理方法。
【請求項１２】
前記表示制御工程においては、前記所定の操作によりパラメータの種別として時刻が選択された場合、前記切替え操作が行われたタイミングに基づく時点において表示手段に表示されている第１の仮想視点画像に対応する仮想視点の位置及び仮想視点からの視線方向に対応し、且つ前記記憶手段に記憶された時刻を表すパラメータに対応する第２の仮想視点画像が表示手段に表示されることを特徴とする請求項１１に記載の情報処理方法。
【請求項１３】
前記表示制御工程においては、前記所定の操作によりパラメータの種別として仮想視点の位置及び仮想視点からの視線方向が選択された場合、前記切替え操作が行われたタイミングに基づく時点において表示手段に表示されている第１の仮想視点画像に対応する時刻に対応し、且つ前記記憶手段に記憶された仮想視点の位置及び仮想視点からの視線方向を表すパラメータに対応する第３の仮想視点画像が表示手段に表示されることを特徴とする請求項１１又は１２に記載の情報処理方法。
【請求項１４】
前記表示制御工程においては、前記所定の操作によりパラメータの種別として、時刻と、仮想視点の位置及び仮想視点からの視線方向とが選択された場合、前記記憶手段に記憶された時刻を表すパラメータに対応し、且つ前記記憶手段に記憶されたパラメータであって前記時刻を表すパラメータと関連付けられた仮想視点の位置及び仮想視点からの視線方向を表すパラメータに対応する第４の仮想視点画像が表示手段に表示されることを特徴とする請求項１１乃至１３のいずれか１項に記載の情報処理方法。
【請求項１５】
コンピュータを、請求項１乃至７のいずれか１項に記載の情報処理装置として機能させるためのプログラム。
【手続補正２】
【補正対象書類名】明細書
【補正対象項目名】発明の名称
【補正方法】変更
【補正の内容】
【発明の名称】情報処理装置、情報処理方法及びプログラム
【手続補正３】
【補正対象書類名】明細書
【補正対象項目名】０００１
【補正方法】変更
【補正の内容】
【０００１】
本発明は、情報処理装置、情報処理方法及びプログラムに関する。
【手続補正４】
【補正対象書類名】明細書
【補正対象項目名】０００５
【補正方法】変更
【補正の内容】
【０００５】
本発明の情報処理装置は、複数の撮影装置が撮影することにより得られる複数の画像に基づいて生成される仮想視点画像に係る仮想視点の位置及び仮想視点からの視線方向を表すパラメータと、前記仮想視点画像の時刻を表すパラメータとを含む複数のパラメータを記憶手段に記憶させる記憶制御手段と、前記仮想視点画像が表示手段に表示されている間にユーザにより行われる切替え操作に応じて、前記記憶手段に記憶された複数のパラメータの中から前記切替え操作に基づいて選択された時刻を表すパラメータに対応し、且つ表示手段に表示されている前記仮想視点画像に対応する仮想視点の位置及び仮想視点からの視線方向を表すパラメータに対応する仮想視点画像を表示手段に表示させる表示制御手段と、を有することを特徴とする。